(57)【要約】【課題】家庭用電化製品の外装部材において縫い目を有する革製の外観と風合いを再現する。【解決手段】  冷蔵庫１１の扉１３の扉パネル１７、及び、引き出し扉１５の扉パネル１７として、糸目部４を連続的に備えた樹脂部品を適用する。【選択図】図３
2016002713.tif 000002
【特許請求の範囲】
【請求項１】
表面に糸目を有する糸目部が連続的に備えられることで縫い目部位が形成され、縫い目部位に対して基材部位が成形されることで、基材部位に縫い目部位が存在する成形品部材が形成され、成形品部材が家庭用電化製品の外装部材とされる
ことを特徴とする家庭用電化製品の外装部材。
【請求項２】
請求項１に記載の家庭用電化製品の外装部材において、
縫い目部位が第１樹脂により形成され、基材部位が第２樹脂により形成されている
ことを特徴とする家庭用電化製品の外装部材。
【請求項３】
請求項１もしくは請求項２に記載の家庭用電化製品の外装部材において、
前記外装部材は、前記家庭用電化製品の開口を開閉する開閉部材の外装部材である
ことを特徴とする家庭用電化製品の外装部材。
【請求項４】
請求項１もしくは請求項２に記載の家庭用電化製品の外装部材において、
前記外装部材は、前記家庭用電化製品の筐体を構成する部材の外装部材である
ことを特徴とする家庭用電化製品の外装部材。
【発明の詳細な説明】
【技術分野】
【０００１】
本発明は、樹脂基材に対し異なる樹脂（材質や色等）により縫い目の部位が形成された樹脂製品からなる家庭用電化製品の外装部材に関する。
【背景技術】
【０００２】
冷蔵庫や電子レンジ、炊飯ジャーを始めとしたキッチン用の電化製品や、洗濯機や掃除機、テレビ等の電化製品は、外観品質の向上が求められている。このため、扉や本体の外装の見栄えが外観品質面の重要な要素となっている。外装の見栄えを向上させるため、例えば、冷蔵庫では、引き出し部の意匠を工夫する技術が知られている（特許文献１参照）。
【０００３】
電化製品の外装部材として、金属や樹脂を用いることが考えられる。幅広い年齢層で利用する頻度が高い家電製品では、様々な汚れが付着ことは避けられないため、汚れに対して簡単に対応できることが必要である。見栄えを向上させるためには、革製の外装部材を適用することで、感触、質感等の向上を図ることができ、機能以外で付加価値を高めることができる。
【０００４】
革製の外装部材を適用する場合、種々の汚れに適した革材の検討を行うことが必要であると同時に、外装部材の手入れが簡単にできる手法及び革材の検討を行うことが必要である。従って、革製の価値に対してコストや日常の手間が大幅に増大し、電化製品の外装部材として、革製品を多く用いた外装部材は普及が進んでいないのが現状である。
【先行技術文献】
【特許文献】
【０００５】
【特許文献１】特開２０１０−４３７７３号公報
【発明の概要】
【発明が解決しようとする課題】
【０００６】
本発明は上記状況に鑑みてなされたもので、樹脂基材と縫い目部位が独立して形成された樹脂部品を二色成形により成形し、縫い目を有する革を模擬した状態の家庭用電化製品の外装部材を提供することを目的とする。
【課題を解決するための手段】
【０００７】
樹脂成形品を用いた場合、革の風合いまでも模擬できる金型を作製するには高度の技術が必要であるが、本件出願人の金型製造技術を駆使することで、革の風合いを模擬できる金型を作製することが可能になった。また、縫い目に関しては、本件出願人が数多く手がけている、基材と図形部や文字表示部とを種類の異なる樹脂で成形する、所謂、二色成形の技術を適用することで、実際の糸目を樹脂により再現することが可能になった。
【０００８】
上記目的を達成するための請求項１に係る本発明の家庭用電化製品の外装部材は、表面に糸目を有する糸目部が連続的に備えられることで縫い目部位が形成され、縫い目部位に対して基材部位が成形されることで、基材部位に縫い目部位が存在する成形品部材が形成され、成形品部材が家庭用電化製品の外装部材とされることを特徴とする。
【０００９】
請求項１に係る本発明では、縫い目部位に対して基材部位が成形されることで、縫い目部位と基材部位を独立した樹脂で成形することができ、縫い目を有する革を模擬した状態の家庭用電化製品の外装部材とすることができる。
【００１０】
そして、請求項２に係る本発明の家庭用電化製品の外装部材は、請求項１に記載の家庭用電化製品の外装部材において、縫い目部位が第１樹脂により形成され、基材部位が第２樹脂により形成されていることを特徴とする。
【００１１】
請求項２に係る本発明では、縫い目部位と基材部位を異なる樹脂（材質や色等）で成形することができ、異色の糸目を備えたり、異色で風合いの異なる糸目を備えたり等の外装部材を得ることができる。
【００１２】
また、請求項３に係る本発明の家庭用電化製品の外装部材は、請求項１もしくは請求項２に記載の家庭用電化製品の外装部材において、前記外装部材は、前記家庭用電化製品の開口を開閉する開閉部材の外装部材であることを特徴とする。
【００１３】
請求項３に係る本発明では、家庭用電化製品の開口を開閉する開閉部材、即ち、冷蔵庫、電子レンジ、食器洗い機等の扉や、炊飯ジャーの蓋等の外装部材として適用することができる。
【００１４】
また、請求項４に係る本発明の家庭用電化製品の外装部材は、請求項１もしくは請求項２に記載の家庭用電化製品の外装部材において、前記外装部材は、前記家庭用電化製品の筐体を構成する部材の外装部材であることを特徴とする。
【００１５】
請求項４に係る本発明では、家庭用電化製品の筐体を構成する部材、即ち、冷蔵庫、電子レンジ、食器洗い機、炊飯ジャー、掃除機等の家庭用電化製品の本体の外板の外装部材として適用することができる。
【発明の効果】
【００１６】
本発明の家庭用電化製品の外装部材は、樹脂基材と縫い目部位が独立して形成された樹脂部品を二色成形により成形し、縫い目を有する革を模擬した状態にすることが可能になる。
【図面の簡単な説明】
【００１７】
【図１】本発明の一実施例に係る家庭用電化製品の外装部材を構成する樹脂成形品の外観図である。
【図２】本発明の他の実施例に係る家庭用電化製品の外装部材を構成する樹脂成形品の外観図である。
【図３】冷蔵庫の外観図である。
【図４】電子レンジの外観図である。
【図５】炊飯ジャーの外観図である。
【図６】掃除機の外観図である。
【発明を実施するための形態】
【００１８】
図１、図２に基づいて樹脂成形品の一例を説明する。
【００１９】
図１（ａ）、図２（ａ）には家庭用電化製品の外装部材に適用される樹脂成形品の外観状況、図１（ｂ）、図２（ｂ）には家庭用電化製品の外装部材に適用される樹脂成形品の分解斜視状況を示してあり、図１は表面に糸目が配された樹脂成形品、図２は表面に糸目が配されると共にインステッチ（縫製糸）が形成された樹脂成形品である。
【００２０】
図１、図２に示すように、樹脂部品１は革を模擬した状態の樹脂成形品で、樹脂部品１は、基になる基材部位２に対し異なる色の縫い目部位３が存在する樹脂成形品である。そして、縫い目部位３には、糸目部４が連続して多数形成され、糸目部４の表面には糸目５が形成されている。
【００２１】
糸目部４に接触する部位の基材部位２には沈み面８が設けられている。即ち、糸目部４の周囲の基材部位２の表面は、沈み面８により他の部位に比べて凹んだ状態にされ、革製のシートが縫い合わされ、縫い目の部位が糸により沈み込んだ状態になっている。
【００２２】
このため、表面に糸目５が形成された縫い目部位３（糸目部４）を有する樹脂部品を二色成形により成形することができる。従って、基材部位２の部分の色合いと縫い目の糸目部４の色合いを変えた状態で、革を模擬した樹脂部品１を得ることができる。
【００２３】
図２に示すように、縫い目部位３にインステッチ６を形成することも可能である。インステッチ６を形成することにより、立体形状の革を模擬した樹脂部品１を得ることができる。
【００２４】
樹脂部品１を成形する場合、縫い目部位３の成形（一次成形）と縫い目部位３が金型面とされた状態での基材部位２の成形（二次成形）とを行う。つまり、第１樹脂により縫い目部位３が成形され、その後、縫い目部位３を金型面の一部として第２樹脂により基材部位２が成形される（二色成形）。
【００２５】
第１樹脂と第２樹脂を用いて二色成形を実施することで、基材部位２の部分の色合いと糸目部４の色合いを変えた状態で、縫い目を有する革を模擬した樹脂部品１を得ることができる。
【００２６】
図３、図４に基づいて樹脂部品１（図１、図２の何れか、もしくは、部位によって併用）が用いられる家庭用電化製品の外装部材の例を説明する。
【００２７】
図３には冷蔵庫の扉のパネルに適用した例を示してある。
【００２８】
図に示すように、冷蔵庫１１には、冷蔵室１２が設けられ、冷蔵室１２の前面（開口）は開閉部材としての扉１３で開閉される。また、冷蔵庫１１には、冷凍室１４が設けられ、冷凍室１４には引き出し扉１５が設けられている。扉１３の前面、及び、引き出し扉１５の前面には外装部材としての扉パネル１７が装着されている。
【００２９】
冷蔵庫１１の扉パネル１７として、図１もしくは図２に示した樹脂部品１が適用される。例えば、扉１３の周縁に沿って糸目部４が連続して配されている。また、扉１３の取っ手１３ａの周囲に沿って糸目部４が連続して配されている。引き出し扉１５の扉パネル１７にも同様に周縁に沿って糸目部４が連続して配され、引き出し扉１５の取っ手１５ａの周囲に沿って糸目部４が連続して配されている。
【００３０】
台所の壁の色等や内装に応じて、樹脂の種類、色を選択することで、縫い目を有する革製の外観と風合いが再現された扉１３、引き出し扉１５を備えた冷蔵庫１１とすることができる。
【００３１】
冷蔵庫１１の扉１３、引き出し扉１５は革製の外観と風合いが再現されているため、冷蔵庫１１の見栄えが向上し、感触、質感等の向上を図ることができ、機能以外で付加価値を高めることが可能である。そして、樹脂製であるため、食品や調味料等の汚れ等が付いても簡単に払拭することができ、扱いが容易になる。
【００３２】
図４には電子レンジの扉のパネル、及び、本体のパネルに適用した例を示してある。
【００３３】
図に示すように、電子レンジ２１の前面の開口部は開閉部材としての扉２２で開閉される。扉２２ののぞき窓２３の周囲には外装部材としてのパネル２４が装着されている。電子レンジ２１の筐体を構成する本体２５には外装部材としての外板パネル２６が装着されている。
【００３４】
電子レンジ２１のパネル２４、外板パネル２６として、図１もしくは図２に示した樹脂部品１が適用される。例えば、電子レンジ２１の扉２２のパネル２４の周縁に沿って糸目部４が連続して配され、のぞき窓２３の周囲に沿って糸目部４が連続して配されている。また、本体２５の外板パネル２６の周縁に沿って糸目部４が連続して配されている。
【００３５】
台所の壁の色等や内装に応じて、樹脂の種類、色を選択することで、縫い目を有する革製の外観と風合いが再現された扉２２、本体２５を備えた電子レンジ２１とすることができる。
【００３６】
電子レンジ２１の扉２２、本体２５は革製の外観と風合いが再現されているため、電子レンジ２１の見栄えが向上し、感触、質感等の向上を図ることができ、機能以外で付加価値を高めることが可能である。そして、樹脂製であるため、食品等の汚れ等が付いても簡単に払拭することができ、扱いが容易になる。
【００３７】
図５には炊飯ジャーの蓋のパネルに適用した例を示してある。
【００３８】
図に示すように、炊飯ジャー３１には、ご飯を炊く釜を入れる開口が上部に設けられ、開口は開閉部材としての蓋３２で開閉される。蓋３２の上面には蓋パネル３３が装着され、炊飯ジャー３１の上面には操作パネル３４が設けられている。
【００３９】
炊飯ジャー３１の蓋パネル３３として、図１もしくは図２に示した樹脂部品１が適用される。例えば、炊飯ジャー３１の蓋３２の蓋パネル３３の周縁に沿って糸目部４が連続して配されている。台所の壁の色等や内装に応じて、樹脂の種類、色を選択することで、縫い目を有する革製の外観と風合いが再現された蓋３２を備えた炊飯ジャー３１とすることができる。
【００４０】
炊飯ジャー３１の蓋３２は革製の外観と風合いが再現されているため、電子レンジ２１の見栄えが向上し、感触、質感等の向上を図ることができ、機能以外で付加価値を高めることが可能である。そして、樹脂製であるため、ご飯の汚れ等が付いても簡単に払拭することができ、扱いが容易になる。
【００４１】
そして、前述した冷蔵庫１１、電子レンジ２１と合わせて使用することで、統一された風合いをもった台所用品とすることができる。例えば、同一系統の風合いを有する冷蔵庫１１、電子レンジ２１、炊飯ジャー３１として、セットで販売しやすくなる。
【００４２】
図に示すように、掃除機４１は、管４２を介して手元操作部４３に床ブラシ４４が連結されている。手元操作部４３にはホース４５を介して掃除機本体４６が接続されている。掃除機本体４６は、走行輪４７を挟んで本体ケース４８が設けられ、本体ケース４８には集塵部が備えられている。本体ケース４８には開口が設けられ、開口を介して内部のフィルター等の交換が可能となっている。開口は開閉部材としての蓋４９で開閉される。
【００４３】
蓋４９の上面には蓋パネル４０が装着されている。
【００４４】
掃除機４１の本体ケース４８における蓋４９の蓋パネル４０として、図１もしくは図２に示した樹脂部品１が適用される。また、床ブラシ４４のケースとして、図１もしくは図２に示した樹脂部品１が適用される。例えば、蓋パネル４０の周縁に沿って糸目部４が連続して配されている。また、床ブラシ４４のケースの周囲に沿って糸目部４が連続して配されている。
【００４５】
部屋の壁の色等や内装に応じて、樹脂の種類、色を選択することで、縫い目を有する革製の外観と風合いが再現された蓋パネル４０、床ブラシ４４を備えた掃除機４１とすることができる。
【００４６】
掃除機４１の蓋パネル４０、床ブラシ４４は革製の外観と風合いが再現されているため、掃除機４１の見栄えが向上し、感触、質感等の向上を図ることができ、機能以外で付加価値を高めることが可能である。そして、樹脂製であるため、塵や埃が付着しても、洗い流したりすることで簡単に払拭することができ、扱いが容易になる。
【００４７】
尚、図１もしくは図２に示した樹脂部品１を適用する家庭用電化製品としては、台所の家庭用電化製品である食器洗浄機、台所の照明装置等、種々の台所用の家庭用電化製品に適用することが可能である。また、台所の電化製品に限らず、洗濯機、テレビ、オーディオ製品、エアコン等、様々な家庭用電化製品に適用することが可能である。
【産業上の利用可能性】
【００４８】
本発明は、樹脂基材に対し異なる樹脂（材質や色等）により縫い目の部位が形成された樹脂製品からなる家庭用電化製品の外装部材の産業分野で利用することができる。
【符号の説明】
【００４９】
１  樹脂部品
２  基材部位
３  縫い目部位
４  糸目部
５  糸目
６  インステッチ
８  沈み面
１１  冷蔵庫
１２  冷蔵室
１３  扉
１４  冷凍室
１５  引き出し扉
１７  扉パネル
２１  電子レンジ
２２  扉
２３  のぞき窓
２４  パネル
２５  本体
２６  外板パネル
３１  炊飯ジャー
３２  蓋
３３  蓋パネル
４０  蓋パネル
４１  掃除機
４２  管
４３  手元操作部
４４  床ブラシ
４５  ホース
４６  掃除機本体
４７  走行輪
４８  本体ケース
４９  蓋
【図１】
2016002713.tif 000003
【図２】
2016002713.tif 000004
【図３】
2016002713.tif 000005
【図４】
2016002713.tif 000006
【図５】
2016002713.tif 000007
【図６】
2016002713.tif 000008